(57)【要約】  【課題】    コンパクトでありながら高い衝撃吸収効果を有する撮像装置を提供する。  【解決手段】  緩衝部材Ｓの内面Ｓａは、下部４ａの外周面に当接し、緩衝部材Ｓの外面ＳｂはケースＣの内周面に当接する。従って、撮像装置を落下させたような場合には、ケースＣからの衝撃力が弱められて鏡枠４に伝達され、その破損などを回避できる。更に、光学部材１のレンズ部１ａの光軸直交方向断面である図３において、ケースＣの内面から光軸Ｘに対して法線Ｌを引いたとき、法線ＬがケースＣと交差する位置Ｐで、緩衝部材Ｓが途切れるように配置されており、鏡枠４をケースＣに接触させずに極力近接させることができるので、ケースＣの寸法を小さく抑えることができる。【選択図】    図３
2006078940.tif 000002
【特許請求の範囲】
【請求項１】
ケースと、
レンズを保持する鏡枠と、
前記ケースと前記鏡枠との間に配置された緩衝部材と、を有し、
前記レンズの光軸直交方向断面において前記ケースから前記レンズの光軸に対して法線を引いたとき、前記法線が前記ケースと交差する位置で、少なくとも光軸周りに延在する前記緩衝部材の一部が途切れていることを特徴とする撮像装置。
【請求項２】
前記緩衝部材はシリコン製であることを特徴とする請求項１に記載の撮像装置。
【請求項３】
前記緩衝部材は、前記ケースに向かうにつれて先細りとなる面を有していることを特徴とする請求項１または２に記載の撮像装置。
【請求項４】
前記ケースは磁性体から形成されていることを特徴とする請求項１〜３のいずれかに記載の撮像装置。
【発明の詳細な説明】
【技術分野】
【０００１】
本発明は、例えば携帯端末などに組み込み可能な小型の撮像装置に関する。
【背景技術】
【０００２】
近年、撮像機能を備えた携帯電話等の携帯端末が広く普及しつつある。ここで、一般的な携帯端末は、ＣＣＤ（Ｃｈａｒｇｅ―Ｃｏｕｐｌｅｄ Ｄｅｖｉｃｅ）等を利用した撮像部、及びＣＣＤの結像面に被写体の像を結像するレンズ部を備え、これらを基板上に搭載して一体に構成した撮像装置を搭載している（特許文献１参照）。
【特許文献１】特開２００４−１８０２２３号公報
【発明の開示】
【発明が解決しようとする課題】
【０００３】
ここで、例えばデジタルカメラなどにおいては、外部から衝撃力を与えることでレンズなどの精密部品の取り付け状態が変化し、ピンぼけなどの撮影機能の低下を招く恐れがあることは、デジタルカメラのユーザーは比較的良く認識している。これに対し、携帯電話については、一般的に把持しにくい形状を有するため落下させやすく、またユーザーも、外部から衝撃を与えることで撮影機能が低下する恐れがあることを十分認識しているとは言い難い。
【０００４】
そこで、特許文献１の従来技術においては、基板と筐体との間に弾性体を配置し、落下時などの衝撃からカメラ本体を保護するようにしている。ところが、かかる構成では、レンズの光軸方向の衝撃を緩和することができるが、レンズの光軸直交方向の衝撃を十分吸収できないという問題がある。これに対し、カメラ本体と筐体との間に弾性体を配置すれば良いという考えもある。しかしながら、かかる位置に弾性体を配置すると筐体が大型化し、携帯電話などに組み込む際に不利になるという問題がある。
【０００５】
本発明は、これらの課題に鑑みてなされたものであり、コンパクトでありながら高い衝撃吸収効果を発揮できる撮像装置を提供することを目的とする。
【課題を解決するための手段】
【０００６】
本発明の撮像装置は、
ケースと、
レンズを保持する鏡枠と、
前記ケースと前記鏡枠との間に配置された緩衝部材と、を有し、
前記レンズの光軸直交方向断面において前記ケースから前記レンズの光軸に対して法線を引いたとき、前記法線が前記ケースと交差する位置で、少なくとも光軸周りに延在する前記緩衝部材の一部が途切れていることを特徴とする。
【発明の効果】
【０００７】
本発明の撮像装置によれば、前記レンズの光軸直交方向断面において前記ケースから前記レンズの光軸に対して法線を引いたとき、前記法線が前記ケースと交差する位置で、少なくとも光軸周りに延在する前記緩衝部材の一部が途切れている（即ち前記法線が前記緩衝部材と交わらない）ので、前記ケースの位置を前記光軸に極力近づけて配置でき、それによりコンパクトなケースとすることができる。なお、前記鏡枠は一般的には円筒形であるため、前記緩衝部材の一部を切り欠いても残りの部分により前記鏡枠を受けることができ、それにより緩衝効果を発揮できる。
【０００８】
前記緩衝部材は、適度な硬度を備えたシリコン製であると、所定の硬度を有することから外力によってつぶれにくく好ましい。
【０００９】
前記緩衝部材は、前記ケースに向かうにつれて先細りとなる面を有していると、前記面で前記鏡枠を受けることができるため、前記鏡枠と前記ケースとを極力近接させながらも、両者間の衝撃力の伝達を効果的に緩和できる。
【００１０】
前記ケースは磁性体から形成されていると、ノイズ対策のためのシールド効果を発揮できる。
【発明を実施するための最良の形態】
【００１１】
以下、本発明の実施の形態を図面を用いて説明する。図１は、本実施の形態にかかる撮像装置の断面図であるが、矩形板状の基板の対角線に沿って断面をとっている。図２は、組み付け時における撮像装置の斜視図である。図３は、図１の構成をIII-III線で切断して矢印方向に見た図であり、すなわちレンズの光軸直交方向における断面図である。
【００１２】
光学部材１は、透明な樹脂材を素材とした光学素子であり、図１に示すように、管状の脚部１ｃと、脚部１ｃの一部としてその下端に形成された当接部１ｄ（当接部１ｄの下面が当接面）と、脚部１ｃの上端周囲に形成された段部１ｅと、脚部１ｃの上端を塞ぐ板状の上面部１ｂと、上面部１ｂの中央に形成された凸レンズ部１ａとから一体で形成されている。尚、上面部１ｂの上面であって、凸レンズ部１ａの周囲には、遮光性のある素材からなり、凸レンズ部１ａのＦナンバーを規定する第１の絞りとしての開口３ａを有する絞り板３が接着等により固定されている。
【００１３】
光学部材１の外側には、遮光性のある素材からなる鏡枠４が配置されている。鏡枠４は、図２から明らかなように、大径円筒状の下部４ａと、小径円筒状の上部４ｂとからなる。下部４ａの下端は、基板ＰＣ上に当接し、接着剤により固着されている。下部４ａの上面は、隔壁４ｃにより周辺側が覆われており、隔壁４ｃの円形内周面には、光学部材１の脚部１ｃが密着的に嵌合している。鏡枠４は、シリコン製の緩衝部材Ｓを介してケースＣ内に収容されている。
【００１４】
一方、鏡枠４の上部４ｂの上端には、遮光板５が接着剤Ｂにより取り付けられている。遮光板５は、その中央に第２の絞りとしての開口５ａを有している。遮光板５の開口５ａの下方には、赤外線吸収特性を有する素材からなるフィルタ７が、接着剤Ｂにより取り付けられている。遮光板５とフィルタ７とでカバー部材を構成する。
【００１５】
図１において、遮光板５と、光学部材１の段部１ｅとの間には、ゴムあるいはバネ部材などからなる弾性部材６が配置され、遮光板５が鏡枠４に取り付けられることで弾性変形し、その弾性力により、光学部材１を図１中、下方に向かって押圧している。よって、遮光板５からの力は、鏡枠４を介して基板ＰＣには伝達されるものの、直接、撮像素子２ｂに伝達されることがない。尚、弾性部材６を絞り板３と一体で形成すれば、部品点数の削減を図ることができる。
【００１６】
撮像部２は、ＣＭＯＳ（Ｃｏｍｐｌｅｍｅｎｔａｒｙ  Ｍｅｔａｌ Ｏｘｉｄｅ Ｓｅｍｉｃｏｎｄｕｃｔｏｒ）型イメージセンサーなどの撮像素子２ｂからなる。矩形薄板状の撮像素子２ｂの下面は、基板ＰＣの上面に取り付けられている。撮像素子２ｂの上面中央には、画素が２次元的に配列された光電変換部２ｄが形成されており、その周囲には、撮像素子２ｂの内部であって且つ内側に画像処理回路が構成されている周囲面２ａが形成されている。薄い側面に直交するように交差した周囲面２ａの外縁近傍には、多数のパッド２ｃが配置されている。結線用端子であるパッド２ｃは、図１に示すごとくワイヤＷを介して、基板ＰＣに接続されている。ワイヤＷは、基板ＰＣ上の所定の回路に接続されている。
【００１７】
本実施の形態の動作について説明する。光学部材１のレンズ部１ａは、被写体像を、撮像素子２ｂの光電変換部２ｄに結像する。撮像素子２ｂは、受光した光の量に応じた電気的信号を画像信号等に変換しパッド２ｃおよびワイヤＷを介して出力できるようになっている。
【００１８】
本実施の形態にかかる撮像装置の組み付け態様について説明する。図２において、基板ＰＣ上に下部４ａを接着剤で固定し、光学部材１を組み付けた状態で、鏡枠４を載置する。更に、上部４ｂ上に遮光板５を載置する。かかる状態で、上方から、鏡枠４の下部４ａの外方に４つに分割された（光軸周りに９０度間隔で途切れた）緩衝部材Ｓを配置する。緩衝部材Ｓの内面Ｓａは、下部４ａの外形状に一致した部分円筒面であり、即ち、途切れた部位を挟む両側の内面Ｓａ同士が、ケースＣに向かうにつれて先細りとなる関係が成立している。一方、緩衝部材Ｓの外面Ｓｂは、ケースＣの内周面に一致した直交する２平面からなる。その後、ケースＣを上方からかぶせる。
【００１９】
かかる状態では、図３に示すように、緩衝部材Ｓの内面Ｓａは、下部４ａの外周面に当接し、緩衝部材Ｓの外面ＳｂはケースＣの内周面に当接する。従って、撮像装置を落下させたような場合には、ケースＣからの衝撃力が弱められて鏡枠４に伝達され、その破損などを回避できる。更に、光学部材１のレンズ部１ａの光軸直交方向断面である図３において、ケースＣの内面から光軸Ｘに対して法線Ｌを引いたとき、法線ＬがケースＣと交差する位置Ｐで、緩衝部材Ｓが途切れるように配置されており、鏡枠４をケースＣに接触させずに極力近接させることができるので、ケースＣの寸法を小さく抑えることができる。
【００２０】
以上、本発明を実施の形態を参照して説明してきたが、本発明は上記実施の形態に限定して解釈されるべきではなく、適宜変更・改良が可能であることはもちろんである。例えば、上述した実施の形態では、緩衝部材Ｓは、下部４ａとケースＣとの間に配置されているが、更に上方に延長することで上部４ｂとケースＣとの間に配置するようにもできる。更に、ケースＣは樹脂製でも良いが、磁性体である金属製とすることでノイズ対策のためのシールド効果を発揮できる。又、このような撮像装置は、携帯電話などの携帯端末やデジタルカメラに組み込むことができる。
【図面の簡単な説明】
【００２１】
【図１】本実施の形態にかかる撮像装置の断面図である。
【図２】組み付け時における撮像装置の斜視図である。
【図３】図１の構成をIII-III線で切断して矢印方向に見た図である。
【符号の説明】
【００２２】
１ 光学部材
１ａ レンズ部
１ａ 凸レンズ部
１ｂ 上面部
１ｃ 脚部
１ｄ 当接部
１ｅ 段部
２ 撮像部
２ａ 周囲面
２ｂ 撮像素子
２ｃ パッド
２ｄ 光電変換部
３ 絞り板
３ａ 開口
４ 鏡枠
４ａ 下部
４ｂ 上部
４ｃ 隔壁
５ 遮光板
５ａ 開口
６ 弾性部材
７ フィルタ
Ｂ 接着剤
Ｃ  ケース
ＰＣ 基板
Ｓ  緩衝部材
Ｗ ワイヤ
【図１】
2006078940.tif 000003
【図２】
2006078940.tif 000004
【図３】
2006078940.tif 000005